(57)【要約】【課題】根掛かりしにくく、しかも錘に対してルアーの交換が容易な根掛かり防止用のルアー用錘を提供する。  【解決手段】比重が１より大きい材料からなって、下側が１００〜１５０度の角度で丸み１５ａを有して折り曲がり、平面視して中央が幅広で前側及び後ろ側に徐々に幅の狭くなった錘本体１１と、錘本体１１の前端に設けられて、釣り糸の先端を結びつける金属製でリング状の環状糸止め金具１２と、錘本体１１の後端に設けられ、垂直面内で鉤状に屈曲しその折り曲げた部分が上位置にあって、掛止針２０付きのルアー１４を取り外し可能に止める鉤状掛止金具１３とを有する。【選択図】図１
0003140557.tif 000002
【実用新案登録請求の範囲】
【請求項１】
比重が１より大きい材料からなって、下側が１００〜１５０度の角度で丸みを有して折り曲がり、平面視して中央が幅広で前側及び後ろ側に徐々に幅の狭くなった錘本体と、
前記錘本体の前端に設けられて、釣り糸の先端を結びつける金属製でリング状の環状糸止め金具と、
前記錘本体の後端に設けられ、垂直面内で鉤状に屈曲しその折り曲げた部分が上位置にあって、掛止針付きのルアーを取り外し可能に止める鉤状掛止金具とを有する根掛かり防止用のルアー用錘。
【請求項２】
請求項１記載の根掛かり防止用のルアー用錘において、前記錘本体が側面視して胃袋形状となっていることを特徴とする根掛かり防止用のルアー用錘。
【請求項３】
請求項１及び２のいずれか１項に記載の根掛かり防止用のルアー用錘において、前記鉤状掛止金具の先側は円弧状に上向き又は後方に向けて折り曲げられていることを特徴とする根掛かり防止用のルアー用錘。
【請求項４】
請求項１〜３のいずれか１項に記載の根掛かり防止用のルアー用錘において、前記ルアーの掛止針の基部には、前記鉤状掛止金具の線径の１．１〜２倍の内径を有して、前記鉤状掛止金具に挿通する掛止リングが設けられていることを特徴とする根掛かり防止用のルアー用錘。
【考案の詳細な説明】
【技術分野】
【０００１】
本考案は、ワームやフライ等のルアーに設ける錘に係り、特に、ルアーや錘が水底等に引っ掛かり難い根掛かり防止用のルアー用錘に関する。
【背景技術】
【０００２】
従来より、池、川、海でのフィッシングにおいて、各種の疑似餌が使用され、一般的にルアー釣りと称されている。ルアー釣りにおいては、例えば、特許文献１に記載のように、各種の疑似餌（例えば、フライ、ワーム）を使用するが、これらそのままでは軽くて飛距離が出ないので、ルアーの前側に錘を付けている。
【０００３】
【特許文献１】特開２００４−２１５６３５号公報
【考案の開示】
【考案が解決しようとする課題】
【０００４】
しかしながら、ルアーに錘を付けると、ルアーを指定の場所に投下した後、錘のためにルアーが沈み、ルアーには疑似餌の他、掛止針（釣り針）が設けられており、この掛止針の向きは一定でないので、例えば、掛止針の折り曲げ先部が下を向いている場合には、池、川、海にある障害物に引っ掛かり易い（即ち、根掛かりし易い）という問題があった。
【０００５】
また、従来のルアーは錘に固定金具等で強固に固定されているので、仮にルアーの交換が可能であるとしても、細かな作業が必要で交換がしにくく、特に、寒い日等で手先がかじかんでいる場合には、ルアーの交換が容易ではなかった。
本考案はかかる事情に鑑みてなされたもので、根掛かりしにくく、しかも錘に対してルアーの交換が容易な根掛かり防止用のルアー用錘を提供することを目的とする。
【課題を解決するための手段】
【０００６】
前記目的に沿う第１の考案に係る根掛かり防止用のルアー用錘は、比重が１より大きい材料からなって、下側が１００〜１５０度の角度で丸みを有して折り曲がり、平面視して中央が幅広で前側（先側）及び後ろ側に徐々に幅の狭くなった錘本体と、
前記錘本体の前端に設けられて、釣り糸の先端を結びつける金属製でリング状の環状糸止め金具と、
前記錘本体の後端に設けられ、垂直面内で鉤状に屈曲しその折り曲げた部分が上位置にあって、掛止針付きのルアーを取り外し可能に止める鉤状掛止金具とを有する。
ここで、錘本体は鉛や鉛合金等の金属の他、水の比重より大きい木材、プラスチック又はセラミック等であっても本考案は適用される。
【０００７】
第１の考案に係る根掛かり防止用のルアー用錘においては、錘本体の前端に設けられている環状糸止め金具に釣り糸の端部を結びつけ、後端の鉤状掛止金具に掛止針付きのルアーを取り付けて、水中に入れ、釣り糸を引っ張ると、錘本体の下側が１００〜１５０度の角度で丸みを有して折り曲がっているので、錘の下側から水の揚力を受けて浮き上がる方向に移動しようとする。また、錘本体は平面視して中央が幅広となっているので、この部分が羽根のように作用し、浮力を助長すると共に、錘の回転を防止する。
【０００８】
第２の考案に係る根掛かり防止用のルアー用錘は、第１の考案に係る根掛かり防止用のルアー用錘において、前記錘本体が側面視して胃袋形状となっている。これによって、全体が滑らかに形成されるので、水に対する抵抗が減少し、水を不必要に攪乱することもない。
【０００９】
また、第３の考案に係る根掛かり防止用のルアー用錘は、第１、第２の考案に係る根掛かり防止用のルアー用錘において、前記鉤状掛止金具の先側は円弧状に上向き又は後方に向けて折り曲げられているので、錘の上側に障害物があっても、鉤状掛止金具の先端がこの障害物に引っ掛かりにくい。また、鉤状掛止金具へのルアーの装着も容易となる。
【００１０】
そして、第４の考案に係る根掛かり防止用のルアー用錘は、第１〜第３の考案に係る根掛かり防止用のルアー用錘において、前記ルアーの掛止針の基部には、前記鉤状掛止金具の線径の１．１〜２倍の内径を有して、前記鉤状掛止金具に挿通する掛止リングが設けられているので、容易に鉤状掛止金具に装着でき、更に必要に応じて簡単に取り外すことができる。
【考案の効果】
【００１１】
本考案の根掛かり防止用のルアー用錘は、使用にあっては、錘本体の下側がそのままの姿勢を維持して、回転をすることもなく水中を移動できる。従って、錘本体の後部にある鉤状掛止金具は垂直面内で鉤状に屈曲しその折り曲げた部分が上位置にあるので、水の底部にある障害物の他、水中に浮かんだ障害物にも根掛かりしにくい。
そして、この鉤状掛止金具に取り付けるルアーの掛止針を一定方向に向けることができるのでこのルアーの掛止針の針先を上に向けて取り付けることで、ルアーの掛止針に伴う根掛かりも減少する。なお、鉤状掛止金具の先側を、上向き又は後方に向けて折り曲げた場合には、更に根掛かりが少なくなる。
また、ルアーの取り付けは上を向いた鉤状掛止金具に、例えば、ルアーの掛止針の先部に設けられた掛止リングを挿通することによって行うので、ルアーの取り付け及び取り外しが容易となる。
【考案を実施するための最良の形態】
【００１２】
続いて、添付した図面を参照しつつ、本考案を具体化した実施の形態につき説明し、本考案の理解に供する。
ここで、図１（Ａ）は本考案の一実施の形態に係る根掛かり防止用のルアー用錘の使用状態の側面図、（Ｂ）は（Ａ）において矢視ａ−ａ断面図、図２は同根掛かり防止用のルアー用錘の平面図である。
【００１３】
図１、図２に示すように、本考案の一実施の形態に係る根掛かり防止用のルアー用錘１０は、比重が１より大きい材料（例えば、鉛、鉛合金）からなる錘本体１１と、錘本体１１の前端に設けられた環状糸止め金具１２と、錘本体１１の後ろ側（後端）に設けられている鉤状掛止金具１３とを有し、鉤状掛止金具１３にルアー１４が取り付けられている。以下、これらについて詳しく説明する。
【００１４】
錘本体１１は人の胃袋形状又は上下方向から少し押圧して偏平した胃袋形状となって、図１（Ａ）に示すように、前側傾斜面１５とこれに丸み１５ａを持って繋がる下側面１６とを有し、これらを側面視した角度αは、約１００〜１５０度となっている。また、鉛本体１１は、図２に示すように、平面視して先部（前部）から中間部に向かう角度βが３０〜６０度となって、平面視して後部から中間部に向かう角度γが３０〜５５度となっている。即ち、平面視して中央が幅広で前側及び後ろ側に徐々に幅が狭くなっており、その断面が図１（Ｂ）に示すように、全体として左右対称の楕円状（又は偏平状）となっている。
【００１５】
錘本体１１の前端に設けられた環状糸止め金具１２は、例えば、短径が１．５〜２．５ｍｍ、長径が２〜３．５ｍｍの長円形（又は楕円状）となって、直径が例えば、０．９〜１．２ｍｍの金属線の一例であるステンレス線（鋼線であってもよい）１７を折り曲げてリング状に形成されている。このステンレス線１７は錆び止めめっきがなされ、錘本体１１を貫通してその後端から突出し、鉤状掛止金具１３を形成している。
【００１６】
錘本体１１の後部に配置される鉤状掛止金具１３は、ステンレス線１７が錘本体１１の後ろ側端部から突出し垂直面内で鉤状に屈曲して形成され、その折り曲げた部分が上位置にあって、更にその先側１８は半円状（即ち、円弧状）となって後方（又は上向き）に折り返されている。この鉤状掛止金具１３の鉤出入口１９の開口幅ｗは、鉤状掛止金具１３の内側の幅ｚより小さく（例えば、ｗ＝ｚ／４〜ｚ／２）なって、鉤状掛止金具１３に装着されたルアー１４が容易に外れないようになっている。なお、この実施の形態においては、ｚ（鉤状部の曲率半径）は１．５〜３．５ｍｍ程度となっている。また、環状糸止め金具１２も、鉤状掛止金具１３と同様、垂直面に沿って曲げられている。
【００１７】
ルアー１４はこの実施の形態では、掛止針２０と疑似餌の一例であるワーム２１とを備えている。掛止針２０の基端部には、掛止リング２２が設けられている。この掛止リング２２の内径は、１．０〜１．５ｍｍ（なお、鉤状掛止金具１３の線径の１．１〜２倍であってもよい）であって、鉤状掛止金具１３に取り外し可能に装着できる構造となっている。また、掛止針２０は掛止リング２２を除く部分が、垂直面内で鉤状に折り曲げられているが、掛止リング２２はこの垂直面と直交する平面内で環状に折り曲げられている。
【００１８】
従って、この掛止針２０を鉤状掛止金具１３に装着した場合は、掛止針２０は垂直面内にあって、掛止針２０の先端部は掛止針２０の中心（重心）以下に対して上にある。
ワーム２１は、この実施の形態では、掛止針２０の基側近くに取り付けられているが、鉤状掛止金具１３に直接装着することもできる。
【００１９】
従って、このようにして組立てたルアー１４付きの根掛かり防止用のルアー用錘１０を、先端部の環状糸止め金具１２に釣り糸の先端部を固定して、所定のポイントに投入し、釣り糸を引っ張ると、錘本体１１の前側傾斜面１５が揚力を受け、引っ張る速度が一定値を超えると水中に泳ぐように移動し、ワーム２１もこれに応じて水中を泳ぐことになる。ワーム２１の取り付け取り外しは、掛止針２０の基部に設けられている掛止リング２２を、一端が開放している鉤状掛止金具１３に取り付け又は外せばよい。
【００２０】
前記実施の形態においては、疑似餌としてワームを使用した場合について説明したが、フライであっても、場合によっては魚体の形状をしたジグ等であってもよい。
また、前記実施の形態においては、錘本体は鉛又は鉛合金であったが、比重が１より大きい他の金属（例えば、アルミニウム、鉄、ステンレス等）でもあってもよいし、木材、プラスチック又はこれらの複合物であってもよい。
【図面の簡単な説明】
【００２１】
【図１】（Ａ）は本考案の一実施の形態に係る根掛かり防止用のルアー用錘の使用状態の側面図、（Ｂ）は（Ａ）において矢視ａ−ａ断面図である。
【図２】同根掛かり防止用のルアー用錘の平面図である。
【符号の説明】
【００２２】
１０：根掛かり防止用のルアー用錘、１１：錘本体、１２：環状糸止め金具、１３：鉤状掛止金具、１４：ルアー、１５：前側傾斜面、１５ａ：丸み、１６：下側面、１７：ステンレス線、１８：先側、１９：鉤出入口、２０：掛止針、２１：ワーム、２２：掛止リング]
【図１】
0003140557.tif 000003
【図２】
0003140557.tif 000004